(57)【要約】【課題】      見た目が通常のニットシャツと同じように見え、しかも腕の振り回し時や身体の捻り時にも窮屈感のないニットシャツを提供する。【解決手段】  カット・アンド・ソーンにより製造されるニットシャツであって、前身頃１および後身頃２のパターンにおいて、前袖ぐり３および後袖ぐり４の寸法をそれぞれ変化させずに、前袖ぐりと後袖ぐりが出会う袖ぐり最下点５の位置を前方向に１．５ｃｍ以上移動し且つ袖ぐり最下点の前後の袖ぐり部分を丸みの付いた湾曲したものとし、袖１０のパターンは前袖１１の袖付け線１４を後袖１２の袖付け線１５よりも窪ませたカーブとし、これらのパターンに基いてニット生地を裁断し、縫製して製作した、袖付け縫い目２１上において袖縫い目２２が脇縫い目２３に対して前身頃側に１．５ｃｍ以上ずれている。【選択図】    図１
2010255137.tif 000002
【特許請求の範囲】
【請求項１】
カット・アンド・ソーンにより製造されるニットシャツであって、前身頃および後身頃のパターンにおいて、前袖ぐりおよび後袖ぐりの寸法をそれぞれ変化させずに、前袖ぐりと後袖ぐりが出会う袖ぐり最下点の位置を前方向に１．５ｃｍ以上移動し且つ前記袖ぐり最下点の前後の袖ぐり部分を丸みの付いた湾曲したものとし、袖のパターンは前袖の袖付け線を後袖の袖付け線よりも窪ませたカーブとし、これらのパターンに基いてニット生地を裁断し、縫製して製作した、袖付け縫い目上において袖縫い目が脇縫い目に対して前身頃側に１．５ｃｍ以上ずれていることを特徴とするカット・アンド・ソーンによるニットシャツ。
【請求項２】
カット・アンド・ソーンにより製造されるニットシャツであって、前身頃および後身頃のパターンにおいて前袖ぐりおよび後袖ぐりの寸法をそれぞれ変化させずに、前袖ぐりと後袖ぐりが出会う袖ぐり最下点の位置を前方向に１．５ｃｍ以上移動し且つ前記袖ぐり最下点の前後の袖ぐり部分を丸みの付いた湾曲したものとし、前身頃の脇線を前記移動した袖ぐり最下点の位置まで移動し、後身頃の脇線を前身頃の脇線の移動分と同寸法、後方向に移動し、前記移動後の脇線を有するものを前身頃および後身頃のパターンとし、袖のパターンにおいて前袖の袖付け線を後袖の袖付け線よりも窪ませたカーブとし且つ後袖の端から前記前身頃の脇線の移動分の倍の幅の部分を切り取ったものを袖のパターンとし、前記前身頃の移動後の脇線と後身頃の移動後の脇線との間の部分に相当する幅および長さを有するものの先端に、前記袖の切り取った部分に対応する幅および長さを有するものを前身頃側に傾斜するように配置して、滑らかなカーブで接続してマチのパターンとし、これらのパターンに基いてニット生地を裁断して、縫製して製作した、前袖とマチ布とを縫い合わせた袖縫い目が前身頃とマチ布とを縫い合わせた脇縫い目に連続しており、前身頃の脇縫い目の上端において、前袖とマチ布とを縫い合わせた袖縫い目と前身頃の脇縫い目の上端におけるマチ布の幅の中心との間の寸法が１．５ｃｍ以上であることを特徴とするカット・アンド・ソーンによるニットシャツ。
【請求項３】
前記マチ布はその幅方向よりも長さ方向に伸び易いものであることを特徴とする請求項２に記載のカット・アンド・ソーンによるニットシャツ
【発明の詳細な説明】
【技術分野】
【０００１】
本発明はカット・アンド・ソーンによるニットシャツ関する。特に、ゴルフ等のスポーツを行う際に着用するのに適したニットシャツに関するものである。
【背景技術】
【０００２】
従来、身体を捻り、腕を振り回すスポーツ（例えば、ゴルフやテニス等）を行う際に着用する上衣としては、ポロシャツやＴシャツのようなカット・アンド・ソーンによるニットシャツが多用されている。なお、カット・アンド・ソーンとは、丸編み機や経編み機で流し編みしたジャージー生地を用いて裁断、縫製すること、またはその製品のことで、略してカットソーとも言う。
【０００３】
このようなニットシャツは伸縮性があり、伸び易いので、製品の納品時は平らに折り畳んだ状態であり、販売時には展示のために一部の製品をハンガーに架けるが、大部分の製品は平らに折り畳んだ状態のままとしている。
【０００４】
従来のニットシャツは前身頃と後身頃の幅は同寸法で、袖ぐりは、布製の衣服のようなカーブを付けず、ルーズフィットで直線的である。一方、袖は前袖と後袖における袖付け線を袖山線（袖の中心線）に対してほぼ対称にカーブさせて、前袖と後袖との差をなくしている。このように、従来のニットシャツは、袖が前に出るような構造になっていない。袖が前に出るようにしていないので、身頃と袖が平らになり、アイロン仕上げが行い易く、折り畳み易く、折り畳んだ状態でも嵩張らない。
【０００５】
また、ニットシャツは伸縮性があるので、特別な工夫をしなくても通常の身体の動きを妨げないので、前述したような形態が従前とられている。
【０００６】
これに対して、ゴルフでは身体の捻りや腕の振り回しが大きいので、ゴルフ時に着用するのに適したポロシャツが特許第３５８２５８０号公報（特許文献１）において提案されている。
【０００７】
この特許文献に開示されているポロシャツは、前身頃と後身頃を縫い合わせる脇縫い目および袖付けの縫い目が伸縮性を妨げているとして、これらを少なくすることを提案している。具体的には、後身頃と後袖部とを一枚布として、後袖部の袖付け縫い目を無くし、前身頃と後身頃の間に脇布を入れ、この脇布を袖下部まで延在させることにより、脇縫い目と腋下の縫い目を無くしている。
【先行技術文献】
【特許文献】
【０００８】
【特許文献１】特許第３５８２５８０号公報
【発明の概要】
【発明が解決しようとする課題】
【０００９】
特許文献１の発明のポロシャツは、後身頃と後袖部を一体化することにより、ゴルフのバックスイング時の追従性を良くしている。しかし、このような特殊なデザインであり、それが目立つために、消費者によっては好まれない。
【００１０】
本発明は、見た目が通常のニットシャツと同じように見え、しかも腕の振り回し時や身体の捻り時にも窮屈感のないニットシャツを提供することを目的とする。
【課題を解決するための手段】
【００１１】
本発明は、カット・アンド・ソーンにより製造されるニットシャツであって、前身頃および後身頃のパターンにおいて、前袖ぐりおよび後袖ぐりの寸法をそれぞれ変化させずに、前袖ぐりと後袖ぐりが出会う袖ぐり最下点の位置を前方向に１．５ｃｍ以上移動し且つ前記袖ぐり最下点の前後の袖ぐり部分を丸みの付いた湾曲したものとし、袖のパターンは前袖の袖付け線を後袖の袖付け線よりも窪ませたカーブとし、これらのパターンに基いてニット生地を裁断し、縫製して製作した、袖付け縫い目上において袖縫い目が脇縫い目に対して前身頃側に１．５ｃｍ以上ずれていることを特徴とするカット・アンド・ソーンによるニットシャツにより前記目的を達成する。
【００１２】
また、本発明は、カット・アンド・ソーンにより製造されるニットシャツであって、前身頃および後身頃のパターンにおいて前袖ぐりおよび後袖ぐりの寸法をそれぞれ変化させずに、前袖ぐりと後袖ぐりが出会う袖ぐり最下点の位置を前方向に１．５ｃｍ以上移動し且つ前記袖ぐり最下点の前後の袖ぐり部分を丸みの付いた湾曲したものとし、前身頃の脇線を前記移動した袖ぐり最下点の位置まで移動し、後身頃の脇線を前身頃の脇線の移動分と同寸法、後方向に移動し、前記移動後の脇線を有するものを前身頃および後身頃のパターンとし、袖のパターンにおいて前袖の袖付け線を後袖の袖付け線よりも窪ませたカーブとし且つ後袖の端から前記前身頃の脇線の移動分の倍の幅の部分を切り取ったものを袖のパターンとし、前記前身頃の移動後の脇線と後身頃の移動後の脇線との間の部分に相当する幅および長さを有するものの先端に、前記袖の切り取った部分に対応する幅および長さを有するものを前身頃側に傾斜するように配置して、滑らかなカーブで接続してマチのパターンとし、これらのパターンに基いてニット生地を裁断して、縫製して製作した、前袖とマチ布とを縫い合わせた袖縫い目が前身頃とマチ布とを縫い合わせた脇縫い目に連続しており、前身頃の脇縫い目の上端において、前袖とマチ布とを縫い合わせた袖縫い目と前身頃の脇縫い目の上端におけるマチ布の幅の中心との間の寸法が１．５ｃｍ以上であることを特徴とするカット・アンド・ソーンによるニットシャツにより前記目的を達成する。
【００１３】
この場合、マチ布はその幅方向よりも長さ方向に伸び易いものであることが好ましい。
【発明の効果】
【００１４】
本発明によれば、ニットシャツであるにも拘らず、袖ぐりを前方向にずらすと共に、袖付け線のカーブも前袖側を後袖よりも窪ませて、袖が前側に付くようにしているので、ゴルフのスイングのように腕を振り回しても窮屈感がない。
【００１５】
また、本発明によれば、袖を前方向に移動させたことにより、従来のニットシャツに比較して、身体にフィットし、着心地がよい。しかも、本発明のニットシャツは見た目が普通のニットシャツと同様であるので、着用するのに抵抗感が生じない。
【００１６】
本発明のマチを入れたニットシャツも、袖が前側に付くようにしているので、腕を挙げても窮屈感がない。また、マチ布をその長さ方向に伸び易いものとすると、より一層腕を挙げ易くなり、後袖の腋下部分をマチ布としているので、ゴルフのバックスイングのように腕を挙げて肩を回しても、窮屈感が生じない。
【００１７】
マチ布をいれた場合も、脇と腋下部分であるので、着用時はマチ布の存在が目立たないので、違和感が生じない。
【図面の簡単な説明】
【００１８】
【図１】図１（ａ）は本発明のニットシャツの袖ぐり（実線で示した）と従来のニットシャツの袖ぐり（点線で示した）との違いを説明するための、前身頃および後身頃のパターンを示す平面図であり、図１（ｂ）は本発明のニットシャツの袖付け線（実線で示した）と従来のニットシャツの袖付け線（点線で示した）との違いを説明するための、袖のパターンを示す平面図である。
【図２】図２（ａ）は本発明のニットシャツの一実施例の前身頃および後身頃のパターンを示す平面図、図２（ｂ）は袖のパターンを示す平面図である。
【図３】図３（ａ）は従来のニットシャツを着用した状態を模式的に表わし平面図、図３（ｂ）は小さ目な従来のニットシャツを着用した状態を模式的に表わし平面図、図３（ｃ）は本発明のニットシャツを着用した状態を模式的に表わし平面図である。
【図４】図４（ａ）は従来のニットシャツの袖を挙げた状態の模式的な側面図、図４（ｂ）は本発明のニットシャツの袖を挙げた状態の模式的な側面図である。
【図５】図５（ａ）〜（ｃ）は本発明のニットシャツの第２実施例のパターンを作成する手順を示す平面図である。
【図６】図６（ａ）〜（ｄ）は図５に示した身頃と組合せられるマチを作成する手順を示す平面図である。
【図７】図７（ａ）は本発明のニットシャツの第２実施例に使用するパーツのパターンを示す平面図であり、図７（ｂ）は前身頃、後身頃およびマチの組合せ関係を示す平面図である。
【図８】本発明の第２実施例のニットシャツの袖を挙げた状態の模式的な側面図である。
【発明を実施するための形態】
【００１９】
以下、本発明の実施の形態を図面に基いて詳細に説明する。
【００２０】
図１（ａ）はニットシャツ用の前身頃１と後身頃２のパターンを示している。従来のニットシャツの袖ぐりは図１（ａ）において点線で示したように細長く、前袖ぐり３′と後袖ぐり４′の間の空間（アームホール）の幅が狭く、前袖ぐり３′と後袖ぐり４′が出会う最下点５′は脇線９上に位置し、この最下点５′で前袖ぐり３′と後袖ぐり４′が鋭角な状態で出会っている。
【００２１】
これに対して、本発明によれば、前袖ぐりおよび後袖ぐりの寸法をそれぞれ変化させずに、前袖ぐり３と後袖ぐり４を矢印Ｓで示すように前方向へ（すなわち、パターン上においては前身頃１の前中心６の方へ）移動させる。この場合、袖ぐり３、４の起点は移動させずに肩線７、８の先端とし、前袖ぐり３と後袖ぐり４が出会う袖ぐり最下点５の位置を前方向に１．５ｃｍ以上移動し且つ袖ぐり最下点５の前後の袖ぐり部分を丸みの付いた湾曲したものとする。
【００２２】
このように袖ぐり下端部を丸みの付いた湾曲したものすると、本発明のニットシャツにおける袖ぐりの最下点５の位置は従来のものの最下点５′の位置よりも図１（ａ）で符号ｔで示した寸法だけ矢印Ｔで示すように上方に上がり、前袖ぐり３と後袖ぐり４の間の空間の幅が広くなる。なお、袖ぐり３、４を前方向に移動させる分量は好ましくは２ｃｍ程度である。
【００２３】
ニットシャツの袖１０（図１（ｂ）参照）は通常１枚布からなり、袖山線（すなわち、袖の中心線、袖付け線の頂点を通る線）１３の左右で、前身頃の袖ぐりに縫い合わされる方を前袖１１と言い、後身頃の袖ぐりに縫い合わされる方を後袖１２と言う。
【００２４】
従来のニットシャツの袖のパターンにおいては、通常、図１（ｂ）に示すように、袖付け線（前袖１１の袖付け線１４′は点線で、後袖１２の袖付け線は実線）は袖山線に対して左右対称であった。
【００２５】
これに対して、本発明のニットシャツの袖のパターンは前袖１１の袖付け線１４を後袖の袖付け線１５よりも窪ませたカーブとしている。すなわち、従来の前袖の袖付け線１４′よりも矢印Ｕに示すように移動させて、窪ませる。窪ませる分量は最大箇所で１．５〜２．５ｃｍである。
【００２６】
このように、袖ぐりを移動した本発明のニットシャツの前身頃１と後身頃２のパターンを図２（ａ）に示した。また、袖付け線のカーブを変化させた袖のパターンを図２（ｂ）に示した。
【００２７】
これらのパターンに基いてニット生地を裁断し、縫製して、ニットシャツを製作する。縫製する場合、袖は身頃に対して袖ぐり丸付けを行う。すなわち、前身頃１の肩線７と後身頃２の肩線８とを縫い合わせ、前身頃１の脇線９と後身頃２の脇線９とを縫い合わせる（図４の脇縫い目２３となる）。一方、袖１０は図１（ｂ）の前袖１１の端１１ａと後袖１２の端１２ａを縫い合わせ（図４の袖縫い目２２となる）、袖１０を筒状とする。この袖の袖付け線１４、１５の頂点１６（袖山の頂点、袖山印）と肩縫い目とを一致させて、前袖１１は前袖ぐり３に、後袖１２は後袖ぐり４に縫い合わせる（図４の袖付け縫い目２１となる）。このようにして筒状の袖を本発明の身頃の袖ぐり３、４に縫着すると、袖縫い目２２は袖ぐりの最下点５の位置に来る。
【００２８】
なお、Ｔシャツの場合は身頃と袖だけであるので、図２に示したパターンだけでよい。しかし、ポロシャツの場合は衿、前開きおよびポケットがあるが、これらは従来どおりに製作し、縫製すればよい。
【００２９】
図３は縫製したニットシャツを着用した状態を上から見たものとして模式的に示したものであり、袖は片側のみ示した。図３（ａ）は従来のニットシャツを着用した状態であり、身頃１、２に対して袖１０が真横に付いており、身体Ｍの両サイドに隙間が生じ、フィット性がない。フィット性を求めて小さ目なニットシャツを着用すると、図３（ｂ）に示すように、矢印Ｎで示すように前側の肩先と後側の肩先が服で押圧され、窮屈である。
【００３０】
図３（ｃ）に示すように、本発明のニットシャツを着用した状態では、袖１０が前方向に付いているので、腕の振り回しも行いやすく、また、身体Ｍにフィットしていても、窮屈でなく、着心地がよい。
【００３１】
図４（ａ）は従来のニットシャツの袖を挙げた状態の側面図であり、袖付け縫い目２１（身頃１、２の袖ぐりに沿って袖１０を縫い付けた縫い目）上において袖縫い目２２と脇縫い目２３とが出会い、袖縫い目２２と脇縫い目２３とが一直線になっている。
【００３２】
図４（ｂ）は本発明のニットシャツの袖を挙げた状態の側面図であり、袖付け縫い目２１上において袖縫い目２２が脇縫い目２３に対して前身頃１側に１．５ｃｍ以上ずれている。
【００３３】
以下に、本発明の別の実施例について説明する。
【００３４】
図５は本発明のニットシャツの別の実施例のパターンを作成する手順を示す平面図である。図５（ａ）に示した前身頃１および後身頃２のパターンはそれぞれ図２（ａ）に示したパターンと同じである。すなわち、図１に関して説明したように、前袖ぐりおよび後袖ぐりの寸法をそれぞれ変化させずに、前袖ぐり３と後袖ぐり３が出会う袖ぐり最下点５の位置を前方向に１．５ｃｍ以上移動し且つ袖ぐり最下点５の前後の袖ぐり部分を丸みの付いた湾曲したものとする。
【００３５】
図５（ａ）に示した袖１０のパターンは図２（ｂ）に示したものと同じであり、前袖１１の袖付け線１４を後袖１２の袖付け線１５よりも窪ませたカーブとしたものである。
【００３６】
次に、図５（ｂ）に示すように、前身頃１の脇線９を移動させた袖ぐり最下点５の位置まで移動し、脇線９ａとする。後身頃２の脇線９を前身頃１の脇線９の移動分と同寸法、後方向（背中心１７の方向）に移動し、脇線９ｂとする。図５（ｂ）で脇線９ａと脇線９ｂとの間の部分１８を網かけして示しており、この部分１８を切り取る。一方、袖１０は後袖１２の端１２ａから、前身頃１の脇線９の移動分の倍の幅（すなわち、網かけした部分の幅）をとった箇所に後袖１２の端を移動する（移動後の端を符号１２ｂで示した）。図５（ｂ）では元の端１２ａと新たな端１２ｂとの間の部分１０′を網かけして示しており、この部分１０′を切り取る。
【００３７】
図５（ｃ）は、図５（ｂ）で網かけした部分１８、１０′を切り取った後の、前身頃１、後身頃２および袖１０のそれぞれの新しいパターンを示す。また、切り取られた後袖部分１０′を示す。
【００３８】
図６（ａ）〜（ｄ）は図５に示した身頃と組合せられるマチを作成する手順を示すものである。図６（ａ）は切り取った脇部分１８と切り取った後袖部分１０′とを示している。すなわち、脇部分１８は前身頃１の移動後の脇線９ａと後身頃２の移動後の脇線９ｂとの間の部分に相当する幅および長さを有し、後袖部分１０′は袖１０の切り取った部分に対応する幅および長さを有する。脇部分１８の先端の後袖ぐり部分４ａと後袖部分１０′の袖付け線部分１５ａとが向い合うように配置し、そして図６（ｂ）に示すように、脇部分１８の後袖ぐり部分４ａと後袖部分１０′の袖付け線部分１５ａとを突き合わせる。この場合、前身頃１の脇線９ａと同じ長さの脇部分１８の脇線１８ａと後袖部分１０′の端線１２ａ（切り取る前の袖の端）とを突き合わせ、他方、後身頃２の脇線９ｂと同じ長さの脇部分１８の脇線１８ｂと後袖部分１０′の端線１２ｃ（切り取った後の後袖１２の端１２ｂと対応する）とを突き合わせる。このように配置すると、後袖部分１０′が前身頃側に傾斜状態となる。
【００３９】
次に、図６（ｃ）に示すように、脇部分１８の脇線１８ａ、１８ｂがそれぞれ、後袖部分１０′の端線１２ａ、１２ｃに、角がなく滑らかに接続するようにカーブを描く。図６（ｄ）には、このようにして作成されたマチ１９のパターンを示す。
【００４０】
図７（ａ）は本発明のニットシャツの第２実施例に使用する前身頃１、後身頃２、袖１０およびマチ１９のパターンを示し、前身頃１、後身頃２、袖１０は図５（ｃ）に示したものである。マチ１９は図６（ｄ）に示したものである。
【００４１】
図７（ｂ）は前身頃１、後身頃２およびマチ１９の組合せ関係を示すものであり、マチ１９を前身頃１と後身頃２の間に挟み込んだ状態であり、マチ１９の先端部分（後袖部分１０′に対応する部分）は前身頃側に傾斜している。
【００４２】
図７（ａ）に示すパターンに基いてニット生地を裁断して、縫製する。この場合、先ず、前身頃１の肩線７と後身頃２の肩線８とを縫い合わせる。次に、袖１０の袖付け線１４、１５の頂点１６と肩縫い目とを一致させて、前袖１１は前袖ぐり３に、後袖１２は後袖ぐり４に縫い合わせる（図８の袖付け縫い目２１となる）。この状態では、前身頃１と後身頃２の脇が開いており、前袖１１の端１１ａは前身頃１の脇線９ａと連続しており、後袖１２の端１２ｂは後身頃２の脇線９ｂと連続しており、前袖１１と後袖１２の脇が開いている（図８においてマチ１９がない状態）。
【００４３】
マチ１９の脇線１８ａを前身頃１の脇線９ａに縫い合わせ（図８の脇縫い目２３ａである）、この縫い合わせに連続して、マチ１９の脇線１８ａに滑らかに続く上端部分の線１２ａと前袖１１の端１１ａとを縫い合わせる（図８の袖縫い目２２ａである）。
【００４４】
同様に、マチ１９の脇線１８ｂを後身頃２の脇線９ｂに縫い合わせ（図８の脇縫い目２３ｂである）、この縫い合わせに連続して、マチ１９の脇線１８ｂに滑らかに続く上端部分の線１２ｃと後袖１２の端１２ｂとを縫い合わせる（図８の袖縫い目２２ｂである）。
【００４５】
このように縫製したニットシャツにおいては、前袖１１とマチ布１９とを縫い合わせた袖縫い目２２ａが前身頃１とマチ布１９とを縫い合わせた脇縫い目２３ａに連続しており、いわゆる脇線続き縫いで縫製されている。前身頃１の脇縫い目２３ａの上端は袖ぐり３の最下点５である。前袖１１とマチ布１９とを縫い合わせた袖縫い目２２ａと前身頃１の脇縫い目２３ａの上端におけるマチ布１９の幅の中心との間の寸法が１．５ｃｍ以上である。すなわち、マチ布１９の幅の中心は図５（ａ）、（ｂ）における脇線９に相当するものであり、図５（ａ）について説明したように袖ぐり３の最下点５は脇線９に対して前方向に１．５ｃｍ以上ずらされているので、製品においても同様である。
【００４６】
この実施例において、マチ布１９はその幅方向よりも長さ方向に伸び易いものを使用することが好ましい。このように長さ方向に伸び易く、脇から袖まで連続しているので、腕を振り回し易い。
【００４７】
また、この実施例においても、Ｔシャツの場合は身頃と袖だけであるので、図７（ａ）に示したパターンだけでよい。また、ポロシャツの場合は衿、前開きおよびポケットがあるが、これらは従来どおりに製作し、縫製すればよい。
【符号の説明】
【００４８】
１  前身頃
２  後身頃
３  前袖ぐり
４  後袖ぐり
５  袖ぐり最下点
１０  袖
１０′  切り取った後袖部分
１１  前袖
１２  後袖
１４  前袖１１の袖付け線
１５  後袖１２の袖付け線
１９  マチ
２１  袖付け縫い目
２２  袖縫い目
２３  脇縫い目
【図１】
2010255137.tif 000003
【図２】
2010255137.tif 000004
【図３】
2010255137.tif 000005
【図４】
2010255137.tif 000006
【図５】
2010255137.tif 000007
【図６】
2010255137.tif 000008
【図７】
2010255137.tif 000009
【図８】
2010255137.tif 000010